(57)【要約】【課題】表示された画像に対して指示体により描画が行われた場合、表示する画像が変更されても、変更後の画像に対応した描画像を表示する。【解決手段】プロジェクター１０Ａは、表示画像を表示面に表示する第１表示部と、指示体の位置を特定する位置特定部と、位置特定部が特定した位置に基づく描画像を生成する描画部と、外部装置から供給される第１背景画像を取得する第１取得部と、第１背景画像に描画像を重畳した第１表示画像を第１表示部へ供給する第１画像処理部と、描画像を供給する第１供給部とを有し、プロジェクター１０Ｂは、第２表示画像を表示面に表示する第２表示部と、描画像を取得する描画像取得部と、第１背景画像を取得する第２取得部と、第１背景画像に描画像を重畳した第２表示画像を第２表示部へ供給する第２画像処理部とを有する。【選択図】図１
2017181532.tif 000002
【特許請求の範囲】
【請求項１】
第１表示装置と、第２表示装置を有する表示システムであって、
前記第１表示装置は、
第１表示画像を表示面に表示する第１表示部と、
前記表示面に対する指示体の位置を特定する位置特定部と、
前記位置特定部が特定した位置に基づく描画像を生成する描画部と、
外部装置から供給される第１背景画像を取得する第１取得部と、
前記第１背景画像に前記描画像を重畳した前記第１表示画像を前記第１表示部へ供給する第１画像処理部と、
前記描画像を供給する第１供給部と
を有し、
前記第２表示装置は、
第２表示画像を表示面に表示する第２表示部と、
前記描画像を取得する描画像取得部と、
前記第１背景画像を取得する第２取得部と、
前記第１背景画像に前記描画像を重畳した前記第２表示画像を前記第２表示部へ供給する第２画像処理部とを有する
表示システム。
【請求項２】
前記第１供給部は、前記描画像と前記第１背景画像を前記第２表示装置へ供給する
請求項１に記載の表示システム。
【請求項３】
前記第１表示装置と前記第２表示装置へ前記第１背景画像を供給する情報処理装置を有し、
前記第１供給部は、前記情報処理装置へ前記描画像を供給し、
前記情報処理装置は、
前記描画像を取得する第３取得部と、
前記描画像を前記第２表示装置へ供給する第２供給部と
を有する請求項１に記載の表示システム。
【請求項４】
前記第３取得部は、前記情報処理装置が前記第１背景画像が前記第１表示部で表示されているときに前記描画部が生成した画像を取得し、
前記情報処理装置は、前記第３取得部が取得した前記描画像と、前記描画像が生成されたときに前記第１表示装置へ供給していた前記第１背景画像とを対応付けて記憶する記憶部を有し、
前記第２供給部は、前記第２表示装置へ供給する前記第１背景画像と、前記第１背景画像に対応付けて前記記憶部に記憶されている前記描画像を前記第２表示装置へ供給する
請求項３に記載の表示システム。
【請求項５】
前記第１表示装置が前記第１表示画像を表示している時に、前記第２表示装置は、前記第１背景画像とは異なる第２背景画像を含む第３表示画像を表示する
請求項１から請求項４のいずれか一項に記載の表示システム。
【請求項６】
表示画像を表示面に表示する表示部と、
前記表示面に対する指示体の位置を特定する位置特定部と、
前記位置特定部が特定した位置に基づく描画像を生成する描画部と、
外部装置から供給される背景画像を取得する取得部と、
前記背景画像に前記描画像を重畳した前記表示画像を前記表示部へ供給する画像処理部と、
前記描画像を供給する供給部と
を備える表示装置。
【請求項７】
表示画像を表示面に表示する表示部と、
外部装置から供給される描画像を取得する描画像取得部と、
外部装置から供給される背景画像を取得する取得部と、
前記背景画像に前記描画像を重畳した画像を前記表示部へ供給する画像処理部と
を有する表示装置。
【請求項８】
第１表示装置が、表示面に対する指示体の位置を特定する位置特定ステップと、
前記第１表示装置が、前記位置特定ステップで特定された位置に基づく描画像を生成する描画ステップと、
前記第１表示装置が、外部装置から供給される第１背景画像を取得する第１取得ステップと、
前記第１表示装置が、前記第１取得ステップで取得された前記第１背景画像に前記描画ステップで生成された前記描画像を重畳した第１表示画像を前記表示面に表示する第１表示ステップと、
前記第１表示装置が、前記描画像を供給する供給ステップと、
第２表示装置が、前記描画像を取得する描画像取得ステップと、
前記第２表示装置が、前記第１背景画像を取得する第２取得ステップと、
前記第２表示装置が、前記第２取得ステップで取得された前記第１背景画像に前記描画像取得ステップで取得された前記描画像を重畳した画像を表示面に表示する第２表示ステップと
を備える表示方法。
【発明の詳細な説明】
【技術分野】
【０００１】
本発明は、表示システム、表示装置及び表示方法に関する。
【背景技術】
【０００２】
複数の画像を予め定められた順番に表示する発明として、例えば特許文献１に開示された装置がある。この装置は、プレゼンテーション用のデータファイルに含まれている画像データの画像を各画像に定められた順番に応じて並べて表示することが可能となっており、例えば、前後するページを左右に並べて表示することができる。
【先行技術文献】
【特許文献】
【０００３】
【特許文献１】特開２００９−１２９２２３号公報
【発明の概要】
【発明が解決しようとする課題】
【０００４】
画像を表示する装置においては、表示されている画像に対して指示体で書き込みを行う技術がある。この技術を用いた場合、指示体の操作に応じて表示される描画像は、プレゼンテーション用の画像とは別に生成され、プレゼンテーション用の画像に重畳されて表示される。このため、表示するページを進めると、表示するページが替わっても書き込まれた描画像が残り、残った描画像は、進められたページの画像に対して意味をなさないものとなってしまう。
【０００５】
本発明は、表示された画像に対して指示体により描画が行われた場合、表示する画像が変更されても、変更後の画像に対応した描画像を表示する技術を提供する。
【課題を解決するための手段】
【０００６】
本発明は、第１表示装置と、第２表示装置を有する表示システムであって、前記第１表示装置は、第１表示画像を表示面に表示する第１表示部と、前記表示面に対する指示体の位置を特定する位置特定部と、前記位置特定部が特定した位置に基づく描画像を生成する描画部と、外部装置から供給される第１背景画像を取得する第１取得部と、前記第１背景画像に前記描画像を重畳した前記第１表示画像を前記第１表示部へ供給する第１画像処理部と、前記描画像を供給する第１供給部とを有し、前記第２表示装置は、第２表示画像を表示面に表示する第２表示部と、前記描画像を取得する描画像取得部と、前記第１背景画像を取得する第２取得部と、前記第１背景画像に前記描画像を重畳した前記第２表示画像を前記第２表示部へ供給する第２画像処理部とを有する表示システムを提供する。
本発明によれば、表示された画像に対して指示体により描画が行われた場合、表示する画像が変更されても、変更後の画像に対応した描画像を表示することができる。
【０００７】
本発明においては、前記第１供給部は、前記描画像と前記第１背景画像を前記第２表示装置へ供給する構成としてもよい。
この構成によれば、第１表示装置から画像を供給して第２表示装置で表示する画像を変更する場合、表示する画像が変更されても、変更後の画像に対応した描画像を表示することができる。
【０００８】
また、本発明においては、前記第１表示装置と前記第２表示装置へ前記第１背景画像を供給する情報処理装置を有し、前記第１供給部は、前記情報処理装置へ前記描画像を供給し、前記情報処理装置は、前記描画像を取得する第３取得部と、前記描画像を前記第２表示装置へ供給する第２供給部とを有する構成としてもよい。
この構成によれば、情報処理装置から画像を供給して表示装置で表示する画像を変更する場合、表示する画像が変更されても、変更後の画像に対応した描画像を表示することができる。
【０００９】
また、本発明においては、前記第３取得部は、前記情報処理装置が前記第１背景画像が前記第１表示部で表示されているときに前記描画部が生成した画像を取得し、前記情報処理装置は、前記第３取得部が取得した前記描画像と、前記描画像が生成されたときに前記第１表示装置へ供給していた前記第１背景画像とを対応付けて記憶する記憶部を有し、前記第２供給部は、前記第２表示装置へ供給する前記第１背景画像と、前記第１背景画像に対応付けて前記記憶部に記憶されている前記描画像を前記第２表示装置へ供給する構成としてもよい。
この構成によれば、表示する画像に対して行われた描画を表示する画像の変更に応じて表示することができる。
【００１０】
また、本発明においては、前記第１表示装置が前記第１表示画像を表示している時に、前記第２表示装置は、前記第１背景画像とは異なる第２背景画像を含む第３表示画像を表示する構成としてもよい。
この構成によれば、複数の異なる画像を並べて表示することができる。
【００１１】
また、本発明は、表示画像を表示面に表示する表示部と、前記表示面に対する指示体の位置を特定する位置特定部と、前記位置特定部が特定した位置に基づく描画像を生成する描画部と、外部装置から供給される背景画像を取得する取得部と、前記背景画像に前記描画像を重畳した前記表示画像を前記表示部へ供給する画像処理部と、前記描画像を供給する供給部とを備える表示装置を提供する。
また、本発明は、表示画像を表示面に表示する表示部と、外部装置から供給される描画像を取得する描画像取得部と、外部装置から供給される背景画像を取得する取得部と、前記背景画像に前記描画像を重畳した画像を前記表示部へ供給する画像処理部とを有する表示装置を提供する。
これらの表示装置によれば、表示された画像に対して指示体により描画が行われた場合、表示する画像が変更されても、変更後の画像に対応した描画像を表示することができる。
【００１２】
また、本発明は、第１表示装置が、表示面に対する指示体の位置を特定する位置特定ステップと、前記第１表示装置が、前記位置特定ステップで特定された位置に基づく描画像を生成する描画ステップと、前記第１表示装置が、外部装置から供給される第１背景画像を取得する第１取得ステップと、前記第１表示装置が、前記第１取得ステップで取得された前記第１背景画像に前記描画ステップで生成された前記描画像を重畳した第１表示画像を前記表示面に表示する第１表示ステップと、記第１表示装置が、前記描画像を供給する供給ステップと、第２表示装置が、前記描画像を取得する描画像取得ステップと、前記第２表示装置が、前記第１背景画像を取得する第２取得ステップと、前記第２表示装置が、前記第２取得ステップで取得された前記第１背景画像に前記描画像取得ステップで取得された前記描画像を重畳した画像を表示面に表示する第２表示ステップとを備える表示方法を提供する。
本発明によれば、表示された画像に対して指示体により描画が行われた場合、表示する画像が変更されても、変更後の画像に対応した描画像を表示することができる。
【図面の簡単な説明】
【００１３】
【図１】表示システム１を構成する装置を示した図。
【図２】プロジェクター１０Ａ、１０Ｂのハードウェア構成を示したブロック図。
【図３】制御部１１０の機能ブロック図。
【図４】サーバー装置３０のハードウェア構成を示したブロック図。
【図５】制御部３０１の機能ブロック図。
【図６】プロジェクター１０Ａ、１０Ｂにより投写される画像の一例を示した図。
【図７】プロジェクター１０Ａ、１０Ｂにより投写される画像の一例を示した図。
【図８】プロジェクター１０Ａ、１０Ｂにより投写される画像の一例を示した図。
【図９】プロジェクター１０Ａ、１０Ｂにより投写される画像の一例を示した図。
【図１０】制御部３０１が行う処理の流れを示したフローチャート。
【図１１】表示システム１Ａを構成する装置を示した図。
【図１２】制御部１１０Ｃ、１１０Ｄの機能ブロック図。
【図１３】制御部１１０Ｃが行う処理の流れを示した。
【発明を実施するための形態】
【００１４】
［第１実施形態］
図１は、本発明の第１実施形態に係る表示システム１を構成する装置を示した図である。プロジェクター１０Ａ、１０Ｂは、外部装置から供給される画像をスクリーンや壁面などの投写面へ投写する表示装置の一例である。プロジェクター１０Ａ、１０Ｂの構成は、それぞれ同じであるため、以下、プロジェクター１０Ａ、１０Ｂの各々を区別する必要がない場合は、プロジェクター１０と称する。プロジェクター１０Ａ、１０Ｂは、有線の通信ネットワーク２に接続されており、通信ネットワーク２に接続された装置と通信を行うことにより、通信ネットワーク２に接続された外部装置への画像の供給や外部装置からの画像の取得を行う。また、プロジェクター１０Ａ、１０Ｂは、指示体２０の移動軌跡に応じた画像を描画する描画機能を備えている。
【００１５】
ペン型の指示体２０は、上述した描画機能を使用するときのポインティングデバイスとして機能し、投写された画像にユーザーが描画を行うときなどに使用される。指示体２０は、赤外光を発する発光部を先端に備えており、指示体２０に設けられたボタンが操作されると赤外光を発する。
【００１６】
情報処理装置の一例であるサーバー装置３０は、通信ネットワーク２に接続されており、プロジェクター１０と通信を行うことにより、プロジェクター１０への画像の供給やプロジェクター１０からの画像の取得を行う。なお、通信ネットワーク２は、無線の通信ネットワークであってもよく、また、有線と無線の両方の通信路を含む通信ネットワークであってもよい。
【００１７】
本実施形態においては、サーバー装置３０がプロジェクター１０Ａ、１０Ｂへ画像を供給し、プロジェクター１０Ａとプロジェクター１０Ｂは、サーバー装置３０から供給された画像を投写する。プロジェクター１０Ａとプロジェクター１０Ｂは、投写する画像が投写面において左右に並ぶように設置されている。投写面においては、図１に示したように、プロジェクター１０Ａが投写する画像は左側となり、プロジェクター１０Ｂが投写する画像は右側となる。
【００１８】
（プロジェクター１０Ａ、１０Ｂの構成）
図２は、プロジェクター１０Ａ、１０Ｂのハードウェア構成を示した図である。本実施形態においては、プロジェクター１０Ａ、１０Ｂの基本的なハードウェア構成は同じである。以下、プロジェクター１０Ａ、１０Ｂの各部を区別する必要がある場合、説明の便宜上、プロジェクター１０Ａの各部の符号の末尾には「Ａ」を付し、プロジェクター１０Ｂの各部の符号の末尾には「Ｂ」を付して説明を行う。各部を区別する必要がない場合、符号の末尾への「Ａ」、「Ｂ」の付加を省略して説明を行う。
【００１９】
プロジェクター１０は、制御部１１０、記憶部１２０、操作部１３０、投写部１４０を備える。また、プロジェクター１０は、映像処理部１５０、映像インターフェース１６０、撮像部１７０、通信部１８０を備える。
【００２０】
制御部１１０は、ＣＰＵ（Central Processing Unit）、ＲＯＭ（Read Only Memory）及びＲＡＭ（Random Access Memory）を備えたマイクロコンピューターである。プロジェクター１０においては、ＲＯＭに記憶されているプログラムをＣＰＵが実行すると、制御部１１０が各部を制御し、画像を投写する機能や外部装置と通信を行う機能、描画機能などの各種が実現する。記憶部１２０は、投写する画像の画質に係る設定や、各種機能の設定に係る情報を記憶する。
【００２１】
操作部１３０は、プロジェクター１０を操作するための複数のボタンを備えている。操作されたボタンに応じて制御部１１０が各部を制御することにより、投写される画像の調整や、プロジェクター１０が有する各種機能の設定などが行われる。また、操作部１３０は、図示省略したリモートコントローラーが発する赤外光を受光する受光部を有する。操作部１３０は、リモートコントローラーが発する赤外光の信号を受光し、受光した信号を表す電気信号を制御部１１０へ供給する。制御部１１０は、操作部１３０から供給される信号に応じて各部を制御する。
【００２２】
通信部１８０は、有線通信の通信インターフェースや、ＩＥＥＥ８０２．１１の規格に従った無線通信の通信インターフェース、Ｂｌｕｅｔｏｏｔｈ（登録商標）の通信インターフェース、ＵＳＢ（Universal Serial Bus）の通信インターフェースなどを有し、各種インターフェースによって他のコンピューター装置や他のプロジェクター１０と通信を行う。通信部１８０は、外部装置と通信を行い、外部装置から供給される画像の取得や外部装置への画像の供給を行う。通信部１８０は、外部装置から供給される画像を取得する取得部の一例である。
【００２３】
映像インターフェース１６０は、ＲＣＡ、Ｄ−Ｓｕｂ、ＨＤＭＩ（登録商標）、ＵＳＢなどのコネクターを有し、外部装置からコネクターに供給された画像を映像処理部１５０へ供給する。映像処理部１５０は、通信部１８０が外部装置から取得した画像や、映像インターフェース１６０から供給される画像を取得する。また、映像処理部１５０は、オンスクリーン画像を制御部１１０から取得する。映像処理部１５０は、各種の画像処理機能を備えており、通信部１８０が他の装置から取得した画像や、映像インターフェース１６０から供給された画像に画像処理を施し、投写する画像の画質を調整する。映像処理部１５０は、画質を調整した画像を投写部１４０へ供給する。また、映像処理部１５０は、制御部１１０からオンスクリーン画像が供給された場合には、オンスクリーン画像を重畳した画像を投写部１４０へ供給する。映像処理部１５０は、外部装置から供給された画像にオンスクリーン画像を重畳した画像を表示部である投写部１４０へ供給する画像処理部の一例である。
【００２４】
画像を投写する投写部１４０は、光源１４１、ライトバルブ１４２、駆動回路１４４及び投写光学系１４３を有している。投写部１４０は、画像を表示する表示部の一例である。光源１４１は、光を発するランプであり、光源１４１が発した光は、図示省略した複数のダイクロイックミラーやミラーによって赤、緑、青の光に分光され、分光された赤、緑、青のそれぞれの光はライトバルブ１４２に導かれる。なお、光源１４１は、ランプではなく、発光ダイオード又はレーザー光を発する半導体レーザー装置であってもよい。
【００２５】
駆動回路１４４は、映像処理部１５０から供給される画像を取得する。駆動回路１４４に供給される画像は、投写する画像における赤の成分の階調を表す階調データ、投写する画像における緑の成分の階調を表す階調データ及び投写する画像における青の成分の階調を表す階調データを有する。駆動回路１４４は、赤、緑、青の各色の階調データを抽出し、抽出した各色の階調データに基づいてライトバルブ１４２を駆動する。
【００２６】
ライトバルブ１４２は、前述の赤の光が入射する液晶ライトバルブ、前述の緑の光が入射する液晶ライトバルブ、及び前述の青の光が入射する液晶ライトバルブを有している。液晶ライトバルブは、透過型の液晶パネルであり、複数行複数列でマトリクス状に配置された画素を備えている。赤の光が入射する液晶ライトバルブは赤の階調データに基づいて駆動され、緑の光が入射する液晶ライトバルブは緑の階調データに基づいて駆動され、青の光が入射する液晶ライトバルブは青の階調データに基づいて駆動される。各液晶ライトバルブは、駆動回路１４４によって各画素が制御されて画素の透過率が変化する。画素の透過率が制御されることにより、液晶ライトバルブを透過した各色の光は、各階調データに対応した画像となる。液晶ライトバルブを透過した赤、緑、青の光の画像は、図示省略したダイクロイックプリズムにより合成されて投写光学系１４３に入射する。投写光学系１４３は、入射した画像を拡大する光学系であり、入射した画像をレンズやミラーによって拡大して投写する。
【００２７】
撮像部１７０は、指示体２０が発する赤外光を受光する撮像素子（ＣＭＯＳやＣＣＤなど）、撮像素子に像を結像する光学系、撮像素子へ入射する光を制限する絞りなどを備えている。撮像部１７０は、投写部１４０の投写範囲を撮像範囲とし、撮像した範囲の画像を生成し、生成した画像を制御部１１０へ出力する。なお、本実施形態においては、プロジェクター１０が投写面の斜め上方に設置されるため、撮像部１７０は、投写範囲を斜め上方から撮像することになる。
【００２８】
図３は、制御部１１０がＲＯＭのプログラムを実行することにより実現する機能の構成を示した機能ブロック図である。位置特定部１００１は、撮像部１７０から供給される画像を解析し、投写部１４０が投写する画像の表示領域における指示体の位置を特定する。描画部１００２は、位置特定部１００１が特定した位置に応じてオンスクリーン画像である描画像を生成する。供給部１００３は、描画部１００２が生成した画像を外部装置へ供給する。取得部１００４は、投写する画像を取得する取得部の一例である。取得部１００４が取得する画像には描画像も含まれる。取得部１００４は、描画像取得部の一例でもある。取得部１００４は、取得した画像を映像処理部１５０へ供給する。
【００２９】
（サーバー装置３０の構成）
図４は、サーバー装置３０のハードウェア構成を示した図である。通信部３０５は、通信ネットワーク２を介してデータ通信を行う通信インターフェースとして機能する。記憶部３０２は、ハードディスク装置を有しており、制御部３０１により実行されるプログラムを記憶する。また、本実施形態においては、記憶部３０２は、プレゼンテーションで使用される複数ページのスライドを表す画像ファイルを記憶する。また、記憶部３０２は、プロジェクター１０において描画機能により描画された描画像のデータを記憶する。
【００３０】
制御部３０１は、ＣＰＵ、ＲＯＭ、ＲＡＭを有している。ＣＰＵが記憶部３０２に記憶されているプログラムを実行すると、サーバー装置３０は、通信ネットワーク２を介してプロジェクター１０と通信を行い、プロジェクター１０に対して画像を供給する機能や、描画像のデータをプロジェクター１０から取得する機能が実現する。
【００３１】
図５は、制御部３０１がプログラムを実行することにより実現する機能のうち、本実施形態に係る機能の構成を示したブロック図である。取得部３００１は、プロジェクター１０から供給される描画像のデータを取得する。供給部３００２は、プロジェクター１０から取得した描画像のデータをプロジェクター１０へ供給する。
【００３２】
（第１実施形態の動作例）
次に本実施形態の動作例について説明する。本実施形態においては、サーバー装置３０は、記憶部３０２に記憶されている画像ファイルに含まれている複数ページのスライドの画像うち、前後する２つのページの画像をプロジェクター１０へ供給する。具体的には、サーバー装置３０は、前後する２つのページのうち、ページ番号が小さいページの画像をプロジェクター１０Ａへ供給し、ページ番号が大きいページの画像をプロジェクター１０Ｂへ供給するように設定がされている。
【００３３】
プロジェクター１０Ａにおいて、サーバー装置３０に記憶されている画像ファイルへアクセスする操作がユーザーにより行われると、サーバー装置３０は、アクセスされた画像ファイルに含まれている１ページ目のスライドの画像をプロジェクター１０Ａへ供給し、２ページ目のスライドの画像をプロジェクター１０Ｂへ供給する。サーバー装置３０から供給される画像をプロジェクター１０Ａ、１０Ｂが取得すると、プロジェクター１０Ａは、図６に例示したように、サーバー装置３０から供給された１ページ目の画像（第２背景画像）を左側へ投写し、プロジェクター１０Ｂは、サーバー装置３０から供給された２ページ目の画像（第１背景画像）を右側へ投写する。
【００３４】
次に、プロジェクター１０Ａが投写した画面上にユーザーが指示体２０を移動させると、撮像部１７０Ａは、指示体２０が発する赤外光を撮影し、撮影により得られた画像を制御部１１０Ａへ供給する。制御部１１０Ａは、撮像部１７０Ａから供給される画像を解析して指示体２０の位置を特定する。次にユーザーが指示体２０を画面上で移動させると、制御部１１０Ａは、撮像部１７０Ａから供給される画像を解析して移動後の指示体２０の位置を特定し、特定した位置を結ぶ線のオンスクリーン画像（描画像の一例）を映像処理部１５０Ａへ供給する。映像処理部１５０Ａは、このオンスクリーン画像をサーバー装置３０から供給された１ページ目の画像に重畳した画像を生成し、生成した画像を投写部１４０Ａへ供給する。供給された画像を投写部１４０Ａが投写すると、例えば、図７に示したように、指示体２０の移動に応じた描画像Ｇ１１（第３表示画像）が投写される。
【００３５】
また、プロジェクター１０Ｂが投写した画面上にユーザーが指示体２０を移動させると、撮像部１７０Ｂは、指示体２０が発する赤外光を撮影し、撮影により得られた画像を制御部１１０Ｂへ供給する。制御部１１０Ｂは、撮像部１７０Ｂから供給される画像を解析して指示体２０の位置を特定する。次にユーザーが指示体２０を画面上で移動させると、制御部１１０Ｂは、撮像部１７０Ｂから供給される画像を解析して移動後の指示体２０の位置を特定し、特定した位置を結ぶ線のオンスクリーン画像（描画像の一例）を映像処理部１５０Ｂへ供給する。映像処理部１５０Ｂは、このオンスクリーン画像をサーバー装置３０から供給された２ページ目の画像に重畳した画像を生成し、生成した画像（第１表示画像）を投写部１４０Ｂへ供給する。供給された画像を投写部１４０Ｂが投写すると、例えば、図８に示したように、指示体２０の移動に応じた描画像Ｇ１２が投写される。
【００３６】
次に、ユーザーがリモートコントローラーを操作し、表示しているページを変更する操作をプロジェクター１０Ａに対して行うと、ページの変更指示がプロジェクター１０Ａからサーバー装置３０へ送られる。この変更指示を通信部３０５が取得すると、制御部３０１は、図１０に示した処理を実行する。
【００３７】
まず制御部３０１は、プロジェクター１０Ａ、１０Ｂが投写している描画像のデータを取得する（ステップＳ１）。具体的には、制御部３０１は、描画像のデータを要求する要求メッセージをプロジェクター１０Ａ、１０Ｂへ送信する。この要求メッセージを通信部１８０Ａが取得すると、制御部１１０Ａは、投写している描画像Ｇ１１のデータをサーバー装置３０へ供給する。また、この要求メッセージを通信部１８０Ｂが取得すると、制御部１１０Ｂは、投写している描画像Ｇ１２のデータをサーバー装置３０へ供給する。通信部３０５は、プロジェクター１０Ａ、１０Ｂから通信ネットワーク２を介して供給される描画像のデータを取得する。
【００３８】
次に制御部３０１は、プロジェクター１０から供給された描画像のデータを、プロジェクター１０へ供給している画像に対応付けて記憶部３０２に記憶させる（ステップＳ２）。ここで制御部３０１は、プロジェクター１０Ａから供給された描画像Ｇ１１のデータを、プロジェクター１０Ａへ供給している１ページ目の画像に対応付けて記憶部３０２に記憶させる。また、制御部３０１は、プロジェクター１０Ｂから供給された描画像Ｇ１２のデータを、プロジェクター１０Ｂへ供給している２ページ目の画像に対応付けて記憶部３０２に記憶させる。
【００３９】
次に制御部３０１は、描画像の消去を指示する消去メッセージを、プロジェクター１０Ａ、１０Ｂへ送信する（ステップＳ３）。この消去メッセージを通信部１８０Ａが取得すると、制御部１１０Ａは、投写している描画像Ｇ１１を消去する。また、この消去メッセージを通信部１８０Ｂが取得すると、制御部１１０Ｂは、投写している描画像Ｇ１２を消去する。
【００４０】
次に制御部３０１は、変更指示に応じてプロジェクター１０Ａ、１０Ｂへ新たな画像を供給する（ステップＳ４）。具体的には、制御部３０１は、ページの変更指示がページを進める内容である場合、２ページ目の画像と、２ページ目の画像に対応付けて記憶した描画像Ｇ１２のデータをプロジェクター１０Ａへ供給し、３ページ目の画像をプロジェクター１０Ｂへ供給する。なお、この時点では、３ページ目の画像に対して描画像のデータが対応付けて記憶されていないため、制御部３０１は、プロジェクター１０Ｂに対しては、描画像のデータを供給しない。
【００４１】
２ページ目の画像と描画像Ｇ１２のデータを通信部１８０Ａが取得すると、制御部１１０Ａは、取得した２ページ目の画像と描画像Ｇ１２のデータを映像処理部１５０Ａへ供給する。映像処理部１５０Ａは、描画像Ｇ１２を２ページ目の画像に重畳した画像（第２表示画像）を生成し、生成した画像を投写部１４０Ａへ供給する。投写部１４０Ａが、供給された画像を投写すると、例えば、図９に示したように、２ページ目の画像と描画像Ｇ１２が左側に投写される。
【００４２】
また、３ページ目の画像を通信部１８０Ｂが取得すると、制御部１１０Ｂは、取得した３ページ目の画像を映像処理部１５０Ｂへ供給する。映像処理部１５０Ｂは、３ページ目の画像を投写部１４０Ｂへ供給する。投写部１４０Ｂが、供給された画像を投写すると、例えば、図９に示したように、３ページ目の画像が右側に投写される。
【００４３】
以上説明したように本実施形態によれば、表示された画像に対して指示体２０により描画が行われた後に、表示する画像が変更されても、変更後の画像に対応した描画像を表示することができる。
【００４４】
［第２実施形態］
次に本発明の第２実施形態について説明する。図１１は、本発明の第２実施形態に係る表示システム１Ａを構成する装置を示した図である。表示システム１Ａは、サーバー装置３０を含まない点で表示システム１と相違する。プロジェクター１０Ｃ、１０Ｄは、画像をスクリーンや壁面などの投写面へ投写する表示装置の一例である。プロジェクター１０Ｃ、１０Ｄは、通信ネットワーク２に接続されている。プロジェクター１０Ｃ、１０Ｄのハードウェア構成は、プロジェクター１０Ａ（１０Ｂ）と同じであるため、ハードウェア構成についての説明は省略する。なお、プロジェクター１０Ｃ、１０Ｄの各部を区別する必要がある場合、説明の便宜上、プロジェクター１０Ｃの各部の符号の末尾には「Ｃ」を付し、プロジェクター１０Ｄの各部の符号の末尾には「Ｄ」を付して説明を行う。各部を区別する必要がない場合、符号の末尾への「Ｃ」、「Ｄ」の付加を省略して説明を行う。
【００４５】
本実施形態においては、プロジェクター１０Ｃは、プロジェクター１０Ｄへの画像の供給やプロジェクター１０Ｄからの画像の取得を行う。プロジェクター１０Ｄは、プロジェクター１０Ｃから供給される画像を投写し、描画像のデータをプロジェクター１０Ｃへ供給する。プロジェクター１０Ｃとプロジェクター１０Ｄは、投写する画像が投写面において左右に並ぶように設置されている。投写面においては、図１１に示したように、プロジェクター１０Ｄが投写する画像は左側となり、プロジェクター１０Ｃが投写する画像は右側となる。
【００４６】
図１２は、プロジェクター１０Ｃ、１０Ｄの機能ブロック図である。供給部１００３Ａは、描画部１００２が生成した描画像を他のプロジェクター１０へ供給する。また、供給部１００３Ａは、映像インターフェースから取得した画像を他のプロジェクター１０へ供給する。取得部１００４は、他のプロジェクター１０から供給される画像を取得する。また、取得部１００４は、取得した画像を映像処理部１５０へ供給する。
【００４７】
（第２実施形態の動作例）
次に本実施形態の動作例について説明する。本実施形態においては、プレゼンテーションで使用する画像ファイルを記憶したＵＳＢメモリーを映像インターフェース１６０ＣのＵＳＢコネクターに装着する。表示システム１Ａは、ＵＳＢメモリーに記憶されている画像ファイルに含まれている複数ページのスライドの画像うち、前後する２つのページの画像をプロジェクター１０Ｃ、１０Ｄで投写する。具体的には、表示システム１Ａにおいては、プロジェクター１０Ｃは、前後する２つのページのうち、ページ番号が大きいページの画像を投写し、ページ番号が小さいページの画像をプロジェクター１０Ｂへ供給するように設定がされている。
【００４８】
プロジェクター１０Ｃにおいて、ＵＳＢメモリーに記憶されている画像ファイルへアクセスする操作がユーザーにより行われると、プロジェクター１０Ｃは、アクセスされた画像ファイルに含まれている２ページ目のスライドの画像を投写し、１ページ目のスライドの画像をプロジェクター１０Ｄへ供給する。プロジェクター１０Ｄは、プロジェクター１０Ｃから供給された画像を投写する。これにより、図６に例示したように、プロジェクター１０Ｃは、１ページ目の画像を右側へ投写し、プロジェクター１０Ｄは、２ページ目の画像を右側へ投写する。
【００４９】
次に、プロジェクター１０Ｄが投写した画面上にユーザーが指示体２０を移動させると、撮像部１７０Ｄは、指示体２０が発する赤外光を撮影し、撮影により得られた画像を制御部１１０Ｄへ供給する。制御部１１０Ｄは、撮像部１７０Ｄから供給される画像を解析して指示体２０の位置を特定する。次にユーザーが指示体２０を画面上で移動させると、制御部１１０Ｄは、撮像部１７０Ｄから供給される画像を解析して移動後の指示体２０の位置を特定し、特定した位置を結ぶ線のオンスクリーン画像（描画像の一例）を映像処理部１５０Ｄへ供給する。映像処理部１５０Ｄは、このオンスクリーン画像をプロジェクター１０Ｃから供給された１ページ目の画像に重畳した画像を生成し、生成した画像を投写部１４０Ｄへ供給する。供給された画像を投写部１４０Ｄが投写すると、例えば、図７に示したように、指示体２０の移動に応じた描画像Ｇ１１が投写される。
【００５０】
また、プロジェクター１０Ｃが投写した画面上にユーザーが指示体２０を移動させると、撮像部１７０Ｃは、指示体２０が発する赤外光を撮影し、撮影により得られた画像を制御部１１０Ｃへ供給する。制御部１１０Ｃは、撮像部１７０Ｃから供給される画像を解析して指示体２０の位置を特定する。次にユーザーが指示体２０を画面上で移動させると、制御部１１０Ｃは、撮像部１７０Ｃから供給される画像を解析して移動後の指示体２０の位置を特定し、特定した位置を結ぶ線のオンスクリーン画像（描画像の一例）を映像処理部１５０Ｃへ供給する。映像処理部１５０Ｃは、このオンスクリーン画像をＵＳＢメモリーから取得した２ページ目の画像に重畳した画像を生成し、生成した画像を投写部１４０Ｃへ供給する。供給された画像を投写部１４０Ｃが投写すると、例えば、図８に示したように、指示体２０の移動に応じた描画像Ｇ１２が投写される。
【００５１】
次に、ユーザーがリモートコントローラーを操作し、表示しているページを変更する操作をプロジェクター１０Ｃに対して行うと、制御部１１０Ｃは、図１３に示した処理を実行する。
【００５２】
まず制御部１１０Ｃは、プロジェクター１０Ｄが投写している描画像のデータを取得する（ステップＳ１１）。具体的には、制御部１１０Ｃは、描画像のデータを要求する要求メッセージをプロジェクター１０Ｄへ送信する。この要求メッセージを通信部１８０Ｄが取得すると、制御部１１０Ｄは、投写している描画像Ｇ１１のデータをプロジェクター１０Ｃへ供給する。通信部１８０Ｃは、プロジェクター１０Ｄから通信ネットワーク２を介して供給される描画像のデータを取得する。
【００５３】
次に制御部１１０Ｃは、描画像のデータを、投写されている画像に対応付けてＵＳＢメモリーに記憶させる（ステップＳ１２）。ここで制御部１１０Ｃは、プロジェクター１０Ｄから供給された描画像Ｇ１１のデータを、プロジェクター１０Ｄへ供給している１ページ目の画像に対応付けてＵＳＢメモリーに記憶させる。また、制御部１１０Ｃは、生成した描画像Ｇ１２のデータを、プロジェクター１０Ｃが投写している２ページ目の画像に対応付けてＵＳＢメモリーに記憶させる。
【００５４】
次に制御部１１０Ｃは、描画像の消去を行う（ステップＳ１３）。具体的には、制御部１１０Ｃは、描画像Ｇ１２を消去する。また、制御部１１０Ｃは、描画像の消去を指示する消去メッセージを、プロジェクター１０Ｃへ送信する。この消去メッセージを通信部１８０Ｃが取得すると、制御部１１０Ｃは、投写している描画像Ｇ１１を消去する。
【００５５】
次に制御部１１０Ｃは、プロジェクター１０Ｄへ新たな画像を供給する（ステップＳ１４）。具体的には、制御部１１０Ｃは、リモートコントローラーでの操作がページを進める内容である場合、２ページ目の画像と、２ページ目の画像に対応付けて記憶した描画像Ｇ１２のデータをプロジェクター１０Ｄへ供給する。
【００５６】
２ページ目の画像と描画像Ｇ１２のデータを通信部１８０Ｄが取得すると、制御部１１０Ｄは、取得した２ページ目の画像と描画像Ｇ１２のデータを映像処理部１５０Ｄへ供給する。映像処理部１５０Ｄは、描画像Ｇ１２を２ページ目の画像に重畳した画像を生成し、生成した画像を投写部１４０Ｄへ供給する。投写部１４０Ｄが、供給された画像を投写すると、例えば、図９に示したように、２ページ目の画像と描画像Ｇ１２が左側に投写される。
【００５７】
次に制御部１１０Ｃは、リモートコントローラーでの操作に応じて新たな画像を投写する（ステップＳ１５）。具体的には、制御部１１０Ｃは、ＵＳＢメモリーから３ページ目の画像を取得し、取得した画像を映像処理部１５０Ｃへ供給する。なお、この時点では、３ページ目の画像に対して描画像のデータが対応付けて記憶されていないため、制御部１１０Ｃは、描画像のデータを映像処理部１５０Ｃへ供給しない。
【００５８】
また、映像処理部１５０Ｃは、供給された画像を投写部１４０Ｃへ供給する。投写部１４０Ｃが、供給された画像を投写すると、例えば、図９に示したように、３ページ目の画像が右側に投写される。
【００５９】
以上説明したように本実施形態によれば、表示された画像に対して指示体２０により描画が行われた後に、表示する画像が変更されても、変更後の画像に対応した描画像を表示することができる。
【００６０】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した各実施形態及び以下の変形例は、一つ又は複数を適宜組み合わせて実施してもよい。
【００６１】
上述した実施形態においては、プロジェクター１０が画像の表示を行うが、画像の表示を行う表示装置は、プロジェクター１０に限定されるものではなく、例えば、直視型のディスプレイ装置であってもよい。画像を表示する装置が直視型のディスプレイ装置の場合、例えば、指の位置を検出可能なタッチパネルを採用し、指示体である指の位置をタッチパネルで検出する。表示装置は、検出した指の位置に応じて描画像を表示する。
【符号の説明】
【００６２】
１、１Ａ…表示システム、１０、１０Ａ、１０Ｂ、１０Ｃ、１０Ｄ…プロジェクター、２０…指示体、３０…サーバー装置、１１０、１１０Ａ、１１０Ｂ…制御部、１２０…記憶部、１３０…操作部、１４０…投写部、１５０、１５０Ａ、１５０Ｂ、１５０Ｃ、１５０Ｄ…映像処理部、１６０、１６０Ｃ…映像インターフェース、１７０、１７０Ａ、１７０Ｂ、１７０Ｃ、１７０Ｄ…撮像部、１８０、１８０Ａ、１８０Ｂ、１８０Ｃ、１８０Ｄ…通信部、３０１…制御部、３０２…記憶部、３０５…通信部、１００１…位置特定部、１００２…描画部、１００３、１００３Ａ…供給部、１００４…取得部、３００１…取得部、３００２…供給部。
【図１】
2017181532.tif 000003
【図２】
2017181532.tif 000004
【図３】
2017181532.tif 000005
【図４】
2017181532.tif 000006
【図５】
2017181532.tif 000007
【図６】
2017181532.tif 000008
【図７】
2017181532.tif 000009
【図８】
2017181532.tif 000010
【図９】
2017181532.tif 000011
【図１０】
2017181532.tif 000012
【図１１】
2017181532.tif 000013
【図１２】
2017181532.tif 000014
【図１３】
2017181532.tif 000015